(57)【要約】【課題】頭皮のあらゆる箇所に、ブラシ部を正対させることができるようにする。【解決手段】駆動部としての電動式ブラシ装置本体２と、この電動式ブラシ装置本体２により動作するブラシ部３とを有する。このブラシ部３は、可撓性を有する材質から成る基板４と、この基板４の表面４Ｓに突出して設けられた複数の突起５を有して構成される。前記電動式ブラシ装置本体２に、前記基板４の周縁を保持する枠体６を設ける。そして、前記枠体６を前記電動式ブラシ装置本体２に対して支持手段７を介して揺動可能に設ける。これによって、前記ブラシ部３が頭皮Ｓに正対していない状態で当接したとしても、前記突起５の当接状態に応じて前記ブラシ部３が前記電動式ブラシ装置本体２に対し揺動するので、前記ブラシ部３が頭皮Ｓに正対する状態に自動修正できる。【選択図】      図３
2010166980.tif 000002
【特許請求の範囲】
【請求項１】
駆動部と、この駆動部によって動作するブラシ部とを有し、このブラシ部が、可撓性を有する材質から成る基板と、この基板の表面に突出して設けられた複数の突起とで構成され、前記駆動部に、前記基板の周縁を保持する枠体を設けた電動式ブラシ装置において、
前記枠体が前記駆動部に対し支持手段を介して可動に設けられていることを特徴とする電動式ブラシ装置。
【請求項２】
前記支持手段が、軸及びこの軸と接続される軸受部とから構成されると共に、前記軸の揺動中心軸線が、前記基板の中心軸線に対して交差することを特徴とする請求項１記載の電動式ブラシ装置。
【請求項３】
前記枠体が弾性変形可能に構成されていることを特徴とする請求項１又は２記載の電動式ブラシ装置。
【発明の詳細な説明】
【技術分野】
【０００１】
本発明は、電動式ブラシ装置に関するものであり、特に、頭皮の洗浄やマッサージ等に使用することができる電動式ブラシ装置に関するものである。
【背景技術】
【０００２】
従来、この種の電動式ブラシ装置として、駆動部と、この駆動部によって動作する施療部（本願発明のブラシ部に相当する）とを有し、前記駆動部に、前記施療部の基板の周縁を前記駆動部に対する位置関係が固定された状態で着脱自在に保持する枠体を設けると共に、前記基板の中心に接続して該基板の面と交差する方向にこの基板を撓ませる往復駆動手段を設け、前記施療部が、可撓性を有する材質から成る前記基板と、この基板に突出して設けられた複数の突起とで構成されるマッサージ装置が知られている。そして、このマッサージ装置では、使用者は、駆動部を把持し、突起の先端部を頭皮に押し当てて手で保持し、前記往復駆動手段によって前記施療部の基板を撓ませることで、この基板の撓みに伴って、この基板に設けられた複数の前記突起を繰り返し倒したり起こしたりさせることで相互に開閉させ、これらの相互に開閉する突起によって、揉んだり擦ったり叩いたりするように、頭皮を複雑にマッサージすることができるものである。これは、図７及び図８に示すように、駆動部１０１により駆動される施療部１０２における基板１０３が下に撓んだ湾曲凸状態と上に撓んだ湾曲凹状態との間で変形を繰り返す際、中心側から周辺側に配置された複数種類の突起１０４，１０５，１０６，１０７が、前記基板１０３の撓みに伴って動くことで、頭皮Ｓに押し当てられた前記突起１０４，１０５，１０６，１０７によって頭皮Ｓを指先で行うようにマッサージすることができるというものである（例えば特許文献１，２）。
【０００３】
また、このような電動式ブラシ装置において、駆動部の枠体に対して基板の縁を摺動自在に設けたものも知られている（例えば特許文献３）。
【先行技術文献】
【特許文献】
【０００４】
【特許文献１】特開２００７−２２９１５９号公報
【特許文献２】特開２００８−２０６９０２号公報
【特許文献３】特開２００６−１８７５４４号公報
【発明の概要】
【発明が解決しようとする課題】
【０００５】
従来技術にあっては、使用者は、複数の突起１０４，１０５，１０６，１０７を頭皮Ｓに数多くほぼ均等に当てるためには、前記施療部１０２が頭皮Ｓに対して正対するように前記駆動部１０１を保持する必要がある。
【０００６】
しかしながら、頭皮は頭頂部では上向き、頭側部では横向きとなっており、このような頭皮に前記施療部が正対するように前記マッサージ装置本体を保持するには、頭皮の位置によって前記施療部の向きを変えるようにする必要があるが、手首をひねったり前記駆動部を持ち直したりしなければ、前記施療部を頭皮に正対させることができないという虞があった。また、人間の頭部は単純な形状ではないため、従来のマッサージ装置では、頭部の表面、即ち頭皮を良好にマッサージ或いは洗浄することができないという虞があった。
【０００７】
本発明が解決しようとする課題は、駆動装置にブラシ部を接続して、このブラシ部の突起を頭皮に押し当てて頭皮を指先で行うように洗浄又はマッサージする電動式ブラシ装置において、頭部のいかなる箇所の頭皮に対しても、前記ブラシ部の突起を正対できるようにすることである。
【課題を解決するための手段】
【０００８】
請求項１の発明は、駆動部と、この駆動部によって動作するブラシ部とを有し、このブラシ部が、可撓性を有する材質から成る基板と、この基板の表面に突出して設けられた複数の突起とで構成され、前記駆動部に、前記基板の周縁を保持する枠体を設けた電動式ブラシ装置において、前記枠体が前記駆動部に対し支持手段を介して可動に設けられていることを特徴とする電動式ブラシ装置である。
【０００９】
また、請求項２の発明は、前記支持手段が、軸及びこの軸と接続される軸受部とから構成されると共に、前記軸の揺動中心軸線が、前記基板の中心軸線に対して交差することを特徴とする請求項１記載の電動式ブラシ装置である。
【００１０】
更に、請求項３の発明は、前記枠体が弾性変形可能に構成されていることを特徴とする請求項１又は２記載の電動式ブラシ装置である。
【発明の効果】
【００１１】
請求項１の発明によれば、前記突起の当接状態に起因して、前記ブラシ部を支持する枠体が前記支持手段によって前記駆動部に対して動くので、前記ブラシ部が頭皮に正対する状態に自動修正できる。
【００１２】
また、前記支持手段を、軸及びこの軸と接続される軸受部とで構成し、前記軸の揺動中心軸線を、前記基板の中心軸線に対して交差させたことで、前記軸を中心に、前記枠体に保持された前記ブラシ部を頭皮に対し自動的に正対させることができる。
【００１３】
更に、前記枠体を弾性変形可能に構成したことで、頭皮の形状に合わせて前記枠体が弾性変形するので、前記ブラシ部の突起を頭皮に対して良好に接触させることができる。
【図面の簡単な説明】
【００１４】
【図１】本発明の実施例１を示す斜視図である。
【図２】同、全体断面図である。
【図３】同、全体の分解斜視図である。
【図４】同、枠体の外観図であり、（ａ）は自然状態、（ｂ）及び（ｃ）は撓んだ状態を示すものである。
【図５】同、要部の断面図である。
【図６】本発明の実施例２を示す断面図である。
【図７】従来例を示す湾曲凸状態のブラシ部周りの断面図である。
【図８】従来例を示す湾曲凹状態のブラシ部周りの断面図である。
【発明を実施するための最良の形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図１〜図５は実施例１を示している。なお、本例においては、図２の姿勢を基準として上下を規定する。１は本発明の電動式ブラシ装置である。この電動式ブラシ装置１は、駆動部としての電動式ブラシ装置本体２と、この電動式ブラシ装置本体２の下部側に着脱自在に保持されるブラシ部３とを有して構成されている。
【００１７】
そして、前記ブラシ部３は、基板４と、この基板４の表面４Ｓと交差する方向である下方側に突出して一体に設けられた突起５とで構成されている。また、前記基板４は、平面視で楕円状であって、可撓性及び弾性を有するエラストマーによって形成されている。そして、前記基板４の縁４Ａは、前記電動式ブラシ装置本体２の底面部２Ｂ側に設けられた枠体６に固定されている。なお、ここで言う「固定」とは、多少の動きを許容して接続される状態を含むものであり、本実施例では、前記基板４の縁４Ａを前記枠体６に嵌合させることで、両者を全周に亘って着脱自在に接続している。なお、図中４Ｈは、前記基板４の長径方向の一端に、一体に設けられた摘みである。
【００１８】
前記枠体６は、弾性変形可能な合成樹脂製であって、平面視で楕円環状に形成されている。そして、前記枠体６は、前記電動式ブラシ装置本体２の底面部２Ｂより隙間Ｌを隔ててやや下方に設けられている。また、前記枠体６は、前記電動式ブラシ装置本体２に対して揺動自在に設けられている。また、前記枠体６の上面には、傾斜面６Ａが形成されている。この傾斜面６Ａは、自然状態において、内側（後述する中心線軸Ｘ側）から外側に向けて次第に低くなるように形成されている。一方、前記枠体６の下面６Ｂは、自然状態において、水平に形成されている。そして、前記ブラシ部３の基板４の、内側に倒Ｕ字状或いは倒コ字状に折り返された縁４Ａが、前記枠体６の外縁６Ｃに嵌合している。この際、前記枠体６に傾斜面６Ａが形成されていることで、前記外縁６Ｃが薄くなっているので、前記縁４Ａを、前記枠体６の外縁６Ｃに嵌合させ易くなっている。なお、前記枠体６の内側に形成された窓孔６Ｄには、エラストマー等の可撓性及び弾性を有する材質から成るシート６Ｅが張設されている。そして、このシート６Ｅの中央には、後述する接続中継部材１７及びフック１７Ａが設けられている。更に、楕円環状の前記枠体６における短径上には、一対の支柱状の吊下部材６Ｆが対称に立設されている。なお、前記吊下部材６Ｆは、前記隙間Ｌの寸法よりも長く形成されている。
【００１９】
前記枠体６は、前記電動式ブラシ装置本体２に対して、支持手段７によって揺動自在に支持されている。この支持手段７は、軸８と、軸受部８Ａとで構成されている。そして、前記軸受部８Ａは、前記電動式ブラシ装置本体２の底面部２Ｂに形成された一対の凹部２Ｃに設けられており、これらの凹部２Ｃに、前記吊下部材６Ｆの上部がそれぞれ挿入される。そして、前記吊下部材６Ｆは、前記軸受部８Ａに対し、前記軸８によって回動自在に接続されている。また、前記軸８の回動中心軸線Ｙは、後述する中心線軸Ｘに対して直交している。
【００２０】
前記電動式ブラシ装置本体２は、底面側が開口すると共に片手で把握可能な大きさを有するケース本体２Ａと、このケース本体２Ａの開口した底面側を閉塞する前記底面部２Ｂとを有して構成されている。この底面部２Ｂは、底板９と覆い体１１とを有する。そして、前記底板９は、平面視で楕円状に形成されており、前記ケース本体２Ａの底縁にその外周が固定されていると共に、前記底板９の中央部には上下方向に貫通する円形の窓孔１０が形成されており、この窓孔１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１０を水密に封ずるように設けられている。そして、前記電動式ブラシ装置本体２の内部には、前記基板４の中央部を上下方向に往復動させる往復駆動手段１２が設けられている。この往復駆動手段１２は、駆動源としてのモータ１３と、このモータ１３のモータ軸１３Ａに減速歯車機構１４を介して接続されるクランク１５と、このクランク１５の偏心軸１５Ａと結合したヨーク１６と、このヨーク１６と一体に形成されたロッド１６Ａを備えている。このように、本実施例では、所謂スコッチ・ヨーク機構を採用したが、クランク機構を採用しても良い。なお、前記覆い体１１のほぼ中央には、接続中継部材１７が一体的に取り付けられている。この接続中継部材１７は、その上面側と前記ロッド１６Ａの下端とで前記覆い体１１を挟持して固定すると共に、その下面側にフック１７Ａが設けられており、このフック１７Ａに、前記基板４中央の上面に設けられたフック受け部４Ｂが着脱自在に接続されている。従って、前記接続中継部材１７は、前記モータ１３の回転運動が前記クランク１５とヨーク１６とで往復運動に変換されることで、上下方向に往復運動するようになっている。これにより、前記フック受け部４Ｂが設けられた位置が、前記基板４における最大振幅部となり、その振幅は、前記クランク１５の中心軸から前記偏心軸１５Ａまでの偏心距離Ｆの２倍（２Ｆ）となる。また、前記フック受け部４Ｂ及び接続中継部材１７を通って上下方向に仮想的な中心軸線Ｘが形成される。また、前記電動式ブラシ装置本体２の内部には、前記モータ１３に電力を供給するための電池１８が設けられていると共に、前記電動式ブラシ装置本体２の上面側表面には、前記モータ１３を操作するためのスイッチ１９が設けられている。
【００２１】
更に、前記基板４には、前記枠体６とシート６Ｅとブラシ部３とで囲まれる領域の内外を連通する小貫通孔状の第一連通部２１及び第二連通部２２が設けられる。そして、前記領域には、前記連通部２１，２２に連通すると共に前記基板４の撓みに応動するシャンプーの収容体２６が設けられる。また、前記中心軸線Ｘを中心として、複数の小突起２７が環状に並べて設けられていると共に、これらの小突起２７同士を接続するように、環状壁２８が設けられている。また、前記基板４の表面４Ｓからの前記環状壁２８の突出寸法は、前記小突起２７の突出寸法より小さくなっている。なお、前記小突起２７と環状壁２８によって、前記基板４が内外に区画される。そして、前記第二連通部２２は、前記小突起２７と環状壁２８によって囲まれた区域に形成されている。一方、前記第一連通部２１は、前記小突起２７と環状壁２８の外側の区域に形成されている。
【００２２】
前記収容体２６は、前記基板４の撓みに応動して、圧縮及び復元を繰り返すことで、前記シャンプーを前記各連通部２１，２２から吸引したり吐出したりさせるようになっている。なお、前記収容体２６は、実施例では弾性体である連続気泡型の発泡ポリウレタンや発泡ゴム等から成る合成スポンジ或いは海綿（天然スポンジ）等によって形成されており、図２に示すように、前記基板４が下に撓んだ湾曲凸状態のときに、前記収容体２６はほぼ非圧縮状態或いはやや圧縮状態となって、前記枠体６とシート６Ｅと基板４の上面との間に介在している。即ち、前記基板４が下に撓んだ湾曲凸状態のときに、前記収容体２６の上面２６Ａは前記枠体６の下面６Ｂ及びシート６Ｅに接するか或いは近接し、前記収容体２６の下面２６Ｂは前記基板４の上面に接するか或いは近接し、更に前記収容体２６の外周２６Ｃは前記基板４の縁４Ａに接するか或いは近接している。一方、前記収容体２６の中心部には、前記中心軸線Ｘに沿って貫通孔２６Ｄが形成されている。そして、この貫通孔２６Ｄを通して、前記フック受け部４Ｂと前記フック１７Ａが接続できるように構成されている。
【００２３】
次に、前記構成について、その作用を説明する。頭皮Ｓを洗浄したりマッサージしたりする場合、まず使用者は、予め前記収容体２６に適量の水を含ませておく。なお、水は前記電動式ブラシ装置１を水に浸けることで、前記各連通部２１，２２を介して前記収容体２６に吸収される。そして、前記基板４の表面４Ｓを上向きとし、前記小突起２７と環状壁２８に囲まれた区域に適量のシャンプーを乗せる。この際、前記小突起２７と環状壁２８で囲まれた区域に乗せられた前記シャンプーは、過剰に乗せない限り、前記小突起２７と環状壁２８の外側の区域に流れ出すことはない。そして、少量のシャンプーは、前記第二連通部２２から前記収容体２６側に染み込む。
【００２４】
次に、前記スイッチ１９を操作すると、前記電池１８から電力が給電されることで、前記モータ１３が作動して前記モータ軸１３Ａが回転する。この回転に伴い、前記モータ軸１３Ａに前記減速歯車機構１４を介して接続された前記クランク１５が回転し、このクランク１５及びこのクランク１５の偏心軸１５Ａと結合した前記ヨーク１６によって、前記モータ軸１３Ａの回転運動が往復運動に変換され、前記ヨーク１６と一体に形成されたロッド１６Ａの下端に取り付けられた前記接続中継部材１７が上下に往復動する。そして、前記基板４は、前記接続中継部材１７に設けられた前記フック１７Ａに接続された前記フック受け部４Ｂ、即ち、前記基板４の中央が最大振幅箇所となるように、従来技術と同様に下に撓んだ湾曲凸状態と上に撓んだ湾曲凹状態との間で変形を繰り返し、その前記最大振幅個所における振幅は、前記クランク１５の中心軸から偏心軸１５Ａまでの偏心距離Ｆの２倍（２Ｆ）となる。
【００２５】
このように、前記基板４が下に撓んだ湾曲凸状態と上に撓んだ湾曲凹状態との間で変形を繰り返すことで、前記基板４と枠体６の下面６Ｂとシート６Ｅの間の空間が圧縮、復元を繰り返すことになり、この結果、前記収容体２６は前記基板４の撓みに応動して圧縮、復元を繰り返す。そして、前記収容体２６が圧縮状態から復元する際に、前記基板４と枠体６の下面６Ｂとシート６Ｅの間の空間が減圧状態となることで、前記環状小突起２７と環状壁２８の内側区域に乗せられた前記シャンプーが前記第二連通部２２から吸引されて前記空間内に流入し、前記収容体２６に収容される。逆に、前記収容体２６が圧縮される際に、この収容体２６に収容された前記シャンプーは、前記第二連通部２２より噴出されることとなる。なお、前記シャンプーは、前記第二連通部２２を通して押し出される際に空気と混じり合うことで泡立つ。そして、このように前記収容体２６の変形が繰り返されることで、前記シャンプーが徐々に前記収容体２６の中央から外周側に広がってゆき、これによって、前記第一連通部２１からも、泡立てられた前記シャンプーが押し出されることになる。このように、湾曲凸状態と湾曲凹状態との間で繰り返される前記基板４の変形に応動して前記収容体２６が圧縮、復元を繰り返すことで、前記小突起２７及び環状壁２８の内側区域に乗せられた前記シャンプーは、泡立てられて、前記ブラシ部３全体から外部に供給される。なお、前記シャンプーは、前記連通部２１，２２を通過する際に細かく泡立てられることになる。そして、前記シャンプーは、前記連通部２１，２２の孔の径が小さい程、細かく泡立てられることになる。
【００２６】
このように、前記シャンプーが泡立てられた状態で、使用者は、前記電動式ブラシ装置本体２を把持し、前記突起５の先端部を前記頭皮Ｓに押し当てて手で保持する。これにより、主として前記突起５は、前記中心軸線Ｘを中心としてその内側方向に傾斜したり、或いはその後起立したりすることを繰り返すことで、前記頭皮Ｓを擦って洗浄したり、刺激を与えてマッサージしたりすることができる。
【００２７】
この際、頭皮Ｓに前記ブラシ部３を正対させることにより複数の前記突起５を頭皮Ｓに均等に当接させる必要があるが、使用者はこの状態を正確に視認できないので、前記電動式ブラシ装置本体２を把持した状態では、前記ブラシ部３は頭皮Ｓに対して大まかに対向する状態となる。しかしながら、前記ブラシ部３が頭皮Ｓに正対していない（前記中心軸線Ｘが頭皮Ｓに対して傾斜している）状態にあっては、図２の矢印Ｚに示すように、前記ブラシ部３が前記電動式ブラシ装置本体２に対して前記軸８の揺動中心軸線Ｙを中心に揺動することで、前記ブラシ部３が自動的に頭皮Ｓに正対した状態で当接できるようになるので、複数の前記突起５によって、頭皮Ｓを均一に洗浄したりマッサージしたりすることができる。
【００２８】
なお、人間の頭部は、実際には単純な形状ではないので、前記ブラシ部３が頭部表面、即ち頭皮Ｓに正対しただけでは、必ずしも突起５によって頭皮Ｓが良好に洗浄されたりマッサージされたりするとは限らない。しかしながら、前述したように、前記枠体６が弾性変形可能に構成されているので、前記ブラシ部３を頭皮Ｓに押しつけることで、頭皮Ｓの形状に応じて前記ブラシ部３の基部４が撓み、この基部４の撓みに応じて、前記ブラシ部３を固定している前記枠体６も撓むことになる。なお、前記枠体６は、その両端が湾曲するように変形したり（図４（ｂ））、捻れるように変形したり（図４（ｃ））することができる。このように、前記ブラシ部３の基部４を頭皮Ｓの形状に応じて変形させることができるので、前記突起５によって、頭皮Ｓをより良好に洗浄したりマッサージしたりすることができる。
【００２９】
以上のように、前記実施例では、電動式ブラシ装置本体２と、この電動式ブラシ装置本体２によって動作するブラシ部３とを有し、このブラシ部３が、可撓性を有する材質から成る基板４と、この基板４の表面４Ｓに突出して設けられた複数の突起５とで構成され、前記電動式ブラシ装置本体２に、前記基板４の周縁を着脱自在に保持する枠体６を設け、前記枠体６を、前記電動式ブラシ装置本体２に対し支持手段７を介して揺動可能に設けたことにより、前記ブラシ部３が頭皮Ｓに正対していない状態で突起５が当接したとしても、前記突起５の当接状態に応じて前記ブラシ部３が前記電動式ブラシ装置本体２に対して揺動するので、前記ブラシ部３が頭皮Ｓに正対するように自動修正でき、前記ブラシ部３の複数の突起５を頭皮Ｓに均一に当接させて、頭皮Ｓを良好に洗浄或いはマッサージすることができる。
【００３０】
また、前記枠体６が、軸８及び軸受部８Ａから構成される前記支持手段７によって接続されると共に、前記軸８の揺動中心軸線Ｙを、前記基板４の中心軸線Ｘに対して直交させることで、前記軸８を揺動中心軸線Ｙとして、前記枠体６に保持された前記ブラシ部３を頭皮Ｓに対し自動的に正対させることができる。
【００３１】
更に、前記枠体６を弾性変形可能に構成したことで、頭皮Ｓの形状に応じて前記枠体６、ひいては前記枠体６に取り付けられた前記ブラシ部３が弾性変形するので、前記ブラシ部３の突起５を頭皮Ｓに対して良好に接触させることができる。
【実施例２】
【００３２】
図６は実施例２を示しており、前記実施例１と同一部分には同一符号を付して、その詳細な説明を省略する。実施例２の支持手段７´においては、電動式ブラシ装置本体２の底面部２Ｂから、一対の支柱状の吊下部材７´Ａをそれぞれ下向きに設け、この吊下部材７´Ａの下部に、軸８´を介して枠体６の上面に形成された軸受部６´Ｆを回動自在に接続したものであり、前記軸８´の揺動中心軸線（図示せず）は中心軸線（図示せず）に対して直交している。
【００３３】
従って、前記突起５の当接状態に応じて前記ブラシ部３が前記電動式ブラシ装置本体２に対して軸８´を揺動中心として揺動するので、前記ブラシ部３が頭皮Ｓに正対するように自動修正できる。
【産業上の利用可能性】
【００３４】
以上のように本発明に係る電動式ブラシ装置は、以上の実施例に限定されるものではなく、発明の要旨の範囲内で種々の変形実施が可能である。例えば、上記実施例では、頭皮等の洗浄及びマッサージに使用可能な電動式ブラシ装置について述べたが、人体のあらゆる箇所に対して使用可能なマッサージ装置に適用しても良い。
【符号の説明】
【００３５】
１  電動式ブラシ装置
２  電動式ブラシ装置本体（駆動部）
３  ブラシ部
４  基板
４Ｓ  表面
５  突起
６  枠体
７，７´  支持手段
８，８´  軸
８Ａ，８´Ａ  軸受部
Ｘ  中心軸線
Ｙ  揺動中心軸線
【図１】
2010166980.tif 000003
【図２】
2010166980.tif 000004
【図３】
2010166980.tif 000005
【図４】
2010166980.tif 000006
【図５】
2010166980.tif 000007
【図６】
2010166980.tif 000008
【図７】
2010166980.tif 000009
【図８】
2010166980.tif 000010